(57)【要約】【課題】地上波デジタルテレビジョン放送や携帯電話などの高周波信号の無線中継装置に好適に実施されるパワースイッチャブル・コンバイナ・デバイダと称される高周波電力合成または分配器において、高周波特性を改善する。【解決手段】各分岐伝送路およびスタブに設けられる高周波スイッチを、接点ＳＷ１ａ〜ＳＷ４ａ；ＳＷ１１ａ〜ＳＷ１３ａ部分と、スイッチ本体とに分離し、その接点部分をベースブロック１２に形成した導波空間Ｈ１〜Ｈ４；Ｈ１１〜Ｈ１３内に配置して同軸線路を構成するとともに、可動接点ＳＷ１ａ〜ＳＷ４ａを単一の伝送路側の固定接点Ｋ０ａと一点（結節点Ｈ１０）で接触するようにする。したがって、高周波信号の合成点と高周波スイッチとの間に物理的な距離が存在しなくなり、またスタブＳＴ１ａ〜ＳＴ３ａ用のスイッチの端子も無くなり、高周波特性を改善することができる。【選択図】図８
2008118324.tif 000002
【特許請求の範囲】
【請求項１】
単一の伝送路の一端に複数の分岐伝送路の一端が接続され、前記単一の伝送路の他端が出力端となる場合は前記分岐伝送路の他端がそれぞれ入力端となり、前記単一の伝送路の他端が入力端となる場合は前記分岐伝送路の他端がそれぞれ出力端となることで、高周波信号の電力を合成または分配するようにした高周波電力合成または分配器において、
前記各伝送路に対応した導波空間を有する金属ベースと、
前記各伝送路に対応した導波空間の結節点に一端が臨み、金属ベースと非接触に前記単一の伝送路に対応した導波空間内に架設され、前記一端が固定接点となる第１の導電体と、
前記各伝送路に対応した導波空間の結節点に一端が臨み、金属ベースと非接触に前記各分岐伝送路に対応した導波空間内に設けられる第１の可動接点と、
前記各分岐伝送路に対応した導波空間において、前記結節点とは反対側で、金属ベースと非接触に架設され、前記第１の可動接点側の端部が固定接点となる第２の導電体と、
前記金属ベースの外方側に設置され、前記第１の可動接点を対応する固定接点に接触／離反させる第１のスイッチ本体とを備えて構成されることを特徴とする高周波電力合成または分配器。
【請求項２】
前記単一の伝送路には、１または複数のスタブとなる分岐伝送路が接続され、そのスタブとなる分岐伝送路にも、前記単一の伝送路に対応した導波空間に一端が臨み、前記金属ベースと非接触に設けられる第２の可動接点と、前記単一の伝送路とは反対側で、金属ベースと非接触に架設され、前記第２の可動接点側の端部が固定接点となる第３の導電体とが設けられ、
前記金属ベースの外方側には、前記第２の可動接点を対応する固定接点に接触／離反させる第２のスイッチ本体が設置されることを特徴とする請求項１記載の高周波電力合成または分配器。
【請求項３】
前記金属ベースは、前記導波空間に対応する溝が少なくとも一方に刻設された２枚の金属板を組合わせて成り、複数の前記スイッチ本体は、その金属板の表裏両面に分散配置されることを特徴とする請求項１または２記載の高周波電力合成または分配器。
【請求項４】
前記スイッチ本体の隅角部が面取りされていることを特徴とする請求項１〜３のいずれか１項に記載の高周波電力合成または分配器。
【請求項５】
前記請求項１〜４のいずれか１項に記載の高周波電力合成または分配器に、前記各分岐伝送路に個別に対応するアンプを含んで成ることを特徴とする無線中継装置。
【発明の詳細な説明】
【技術分野】
【０００１】
本発明は、地上波デジタルテレビジョン放送や携帯電話などの高周波信号の無線中継装置に好適に実施される高周波電力合成または分配器およびそれを用いる無線中継装置に関する。
【背景技術】
【０００２】
テレビジョン放送の中継局や携帯電話の基地局などでは、その高周波信号を中継するにあたって、数Ｗから数百Ｗの大きな送信電力が必要となる。そして、その大きな送信電力を得るために、また放送や電話通話には瞬断を避けなければならないことから、受信した信号は複数のアンプに分配され、また複数のアンプで増幅された信号を合成して送信信号が作成されている。そのような用途に用いられるのが、前記分配にはデバイダと称される装置であり、前記合成にはコンバイナと称される装置である。そして、これらの装置は、単一の伝送路の一端と分岐伝送路の一端とを接続して構成されており、前記単一の伝送路の他端が出力端となる場合は前記分岐伝送路の他端がそれぞれ入力端となって前記コンバイナとなり、前記単一の伝送路の他端が入力端となる場合は前記分岐伝送路の他端がそれぞれ出力端となって前記デバイダとなり、高周波信号の入出力を入れ替えることで、共用することができるようになっている。また、不具合回路（アンプ等）を切離して運用可能なように、各分岐伝送路には高周波信号を開閉するための機械的なスイッチが設けられる。このようにして構成されるのが、パワースイッチャブル・コンバイナ・デバイダと称される高周波電力合成または分配器である。
【０００３】
このようなパワースイッチャブル・コンバイナ・デバイダの典型的な従来技術は、先に本件出願人によって、特許文献１で提案されている。図９は、その従来技術によるパワースイッチャブル・コンバイナ・デバイダ５１の蓋を取外した状態での構造を示す平面図である。このパワースイッチャブル・コンバイナ・デバイダ５１は、筐体５４内に、高周波電力の合成または分配用の基板５５およびその基板５５に実装されるスイッチｓｗ１，ｓｗ２，ｓｗ３；ｓｗ１１，ｓｗ１２（総称するときは、以下参照符号ｓｗで示す）を収納して構成されている。
【０００４】
このパワースイッチャブル・コンバイナ・デバイダ５１は、前述の地上波デジタルテレビジョン放送用に用いられ、３つの信号の合成または分配を行う。したがって、プリント基板５５には、単一の伝送路ｋ０の一端に３つの分岐伝送路ｋ１，ｋ２，ｋ３の一端が共通に接続され、前記単一の伝送路ｋ０の他端が筐体５４の背面に設けられたコネクタｊ０のコネクタピンｐ０に半田付けされ、前記各分岐伝送路ｋ１，ｋ２，ｋ３の他端が筐体５４の前面に設けられたコネクタｊ１，ｊ２，ｊ３のコネクタピンｐ１，ｐ２，ｐ３にそれぞれ半田付けされる。このパワースイッチャブル・コンバイナ・デバイダ５１は、前記各コネクタｊ１，ｊ２，ｊ３がそれぞれ入力端となり、前記コネクタｊ０が出力端となるときにはコンバイナとなり、前記各コネクタｊ１，ｊ２，ｊ３がそれぞれ出力端となり、前記コネクタｊ０が入力端となるときにはデバイダとなる。
【０００５】
各コネクタｊ０〜ｊ３には、同軸ケーブルの先端に固着された接栓がネジ止め固定される。これによって、各伝送路ｋ０〜ｋ３はコネクタピンｐ０〜ｐ３を介して前記同軸ケーブルの中心導体と接続され、筐体５４はＧＮＤに接続されている前記同軸ケーブルの外導体と接続される。
【０００６】
前記プリント基板５５は、両面基板であり、表面には、前記各伝送路ｋ０〜ｋ３が形成されるとともに、スタブパターンｓｔ１，ｓｔ２が形成されており、残余の領域は、前記各伝送路ｋ０〜ｋ３およびスタブパターンｓｔ１，ｓｔ２とインピーダンスマッチングのために必要となる間隙（たとえば伝送路のパターン幅を２ｍｍとすると、前記５０Ωで０．６ｍｍ程度）を開けて、ＧＮＤパターン５７となっている。また、基板５５の裏面は、全面ＧＮＤパターンとなっており、表裏のＧＮＤパターン間を接続し、ＧＮＤへの接続性を向上するためのスルーホール５９が、特に前記伝送路ｋ０〜ｋ３の両側を密に、多数形成されている。これによって、前記各伝送路ｋ０〜ｋ３の周囲のＧＮＤパターンは確実にＧＮＤを確保することができ、インピーダンスマッチングを良好に行うことができるようになっている。
【特許文献１】特開２００５−２７７８４９号公報
【発明の開示】
【発明が解決しようとする課題】
【０００７】
上述のように構成されるパワースイッチャブル・コンバイナ・デバイダ５１は、分岐用スイッチｓｗ１，ｓｗ２，ｓｗ３の切換えによる伝送路ｋ０〜ｋ３のインピーダンス変化に対して、スタブ用スイッチｓｗ１１，ｓｗ１２を開閉し、使用するスタブパターンｓｔ１，ｓｔ２を切換えることで、出力側のインピーダンスを入力数に依存しないで一定に見せかけるようにし、たとえば単一の伝送路ｋ０のインピーダンスを５０Ωの一定値に維持することができる優れた構造を有する。
【０００８】
しかしながら、最適化のプロセスによって結果は異なるが、このようなパワースイッチャブル・コンバイナ・デバイダの性能を決める要素として、入力信号が一点で合成される部分と、入力部分のスイッチとの間に存在する物理的な距離や、前記入力信号が一点で合成される部分からスタブまでの距離が影響し、この距離をできるだけ小さくすることが性能を確保する上で重要となる。この点、従来技術の構造では、機械式スイッチｓｗ１，ｓｗ２，ｓｗ３；ｓｗ１１，ｓｗ１２をプリント基板５５上に並べて、その端子６０を前記伝送路ｋ０〜ｋ３やスタブパターンｓｔ１，ｓｔ２と半田付けしている。
【０００９】
そこで、本件発明者が検討した結果、前記スイッチｓｗ１，ｓｗ２，ｓｗ３；ｓｗ１１，ｓｗ１２の可動接点から前記入力信号が一点で合成される部分までの距離を短縮することで、高周波特性の改善が期待できることが判明した。また、４個以上の機械式スイッチを集めようとしても困難であったが、それが可能であることが判明した。
【００１０】
本発明の目的は、高周波特性を改善することができる高周波電力合成または分配器およびそれを用いる無線中継装置を提供することである。
【課題を解決するための手段】
【００１１】
本発明の高周波電力合成または分配器は、単一の伝送路の一端に複数の分岐伝送路の一端が接続され、前記単一の伝送路の他端が出力端となる場合は前記分岐伝送路の他端がそれぞれ入力端となり、前記単一の伝送路の他端が入力端となる場合は前記分岐伝送路の他端がそれぞれ出力端となることで、高周波信号の電力を合成または分配するようにした高周波電力合成または分配器において、前記各伝送路に対応した導波空間を有する金属ベースと、前記各伝送路に対応した導波空間の結節点に一端が臨み、金属ベースと非接触に前記単一の伝送路に対応した導波空間内に架設され、前記一端が固定接点となる第１の導電体と、前記各伝送路に対応した導波空間の結節点に一端が臨み、金属ベースと非接触に前記各分岐伝送路に対応した導波空間内に設けられる第１の可動接点と、前記各分岐伝送路に対応した導波空間において、前記結節点とは反対側で、金属ベースと非接触に架設され、前記第１の可動接点側の端部が固定接点となる第２の導電体と、前記金属ベースの外方側に設置され、前記第１の可動接点を対応する固定接点に接触させたり離反させたりする第１のスイッチ本体とを備えて構成されることを特徴とする。
【００１２】
上記の構成によれば、地上波デジタルテレビジョン放送や携帯電話などの高周波信号の無線中継装置に好適に実施され、単一の伝送路の一端と分岐伝送路の一端とを接続し、各分岐伝送路に高周波信号を開閉するための高周波スイッチを設けるようにしたパワースイッチャブル・コンバイナ・デバイダと称される高周波電力合成または分配器において、前記高周波スイッチを、接点部分と、スイッチ本体とに分離し、その接点部分を金属ベースに形成した導波空間内に配置することで、同軸線路を構成するとともに、各分岐伝送路側に設けられる高周波スイッチの可動接点を、単一の伝送路側の固定接点と、一点で接触するようにする。具体的には、前記単一の伝送路に対応した導波空間内に第１の導電体を設け、前記各分岐伝送路に対応した導波空間には第１の可動接点および第２の導電体を設け、各伝送路に対応した導波空間の結節点に前記第１の導電体の一端が固定接点として臨むように該第１の導電体を架設し、各分岐伝送路では、前記結節点側に第１の可動接点を配置するとともに、前記結節点とは反対側に、前記第１の可動接点側の端部が固定接点となる第２の導電体を架設する。
【００１３】
したがって、高周波信号の合成または分配点とスイッチとの間に物理的な距離が存在しなくなり、高周波特性を改善することができる。また、同軸線路が金属ベース内に構成されているので、高周波信号が外部に漏洩せず、前記スイッチ本体のソレノイドを駆動する駆動信号線に前記高周波信号が重畳することによって生じる機械スイッチの誤動作を防ぐことができる。さらにまた、４個以上の高周波スイッチを前記結節点の周囲に配置することができる。
【００１４】
また、本発明の高周波電力合成または分配器は、前記単一の伝送路には、１または複数のスタブとなる分岐伝送路が接続され、そのスタブとなる分岐伝送路にも、前記単一の伝送路に対応した導波空間に一端が臨み、前記金属ベースと非接触に設けられる第２の可動接点と、前記単一の伝送路とは反対側で、金属ベースと非接触に架設され、前記第２の可動接点側の端部が固定接点となる第３の導電体とが設けられ、前記金属ベースの外方側には、前記第２の可動接点を対応する固定接点に、接触させたり離反させたりする第２のスイッチ本体が設置されることを特徴とする。
【００１５】
上記の構成によれば、第１の可動接点の開閉による分岐数、すなわち合成または分配チャネル数の変更に伴ってインピーダンスが変化しても、第２の可動接点を動作させて、任意のスタブの使用／不使用を切換え、インピーダンスをマッチングさせることができる。これによって、高周波電力合成または分配器にスタブの機能を持たせることができる。
【００１６】
さらにまた、本発明の高周波電力合成または分配器では、前記金属ベースは、前記導波空間に対応する溝が少なくとも一方に刻設された２枚の金属板を組合わせて成り、複数の前記スイッチ本体は、その金属板の表裏両面に分散配置されることを特徴とする。
【００１７】
上記の構成によれば、スイッチ本体の物理的な干渉が小さくなり、該スイッチ本体を前記結節点により近付け、可動接点を短くして、より高周波特性を改善することができるとともに、小型化することもできる。
【００１８】
また、本発明の高周波電力合成または分配器は、前記スイッチ本体の隅角部が面取りされていることを特徴とする。
【００１９】
上記の構成によれば、前記スイッチ本体を前記結節点により近付け、一層可動接点を短くして、より一層高周波特性を改善することができるとともに、小型化することもできる。
【００２０】
さらにまた、本発明の無線中継装置は、前記の高周波電力合成または分配器に、前記各分岐伝送路に個別に対応するアンプを含んで成ることを特徴とする。
【００２１】
上記の構成によれば、高周波特性を改善することができる無線中継装置を実現することができる。
【発明の効果】
【００２２】
本発明の高周波電力合成または分配器は、以上のように、地上波デジタルテレビジョン放送や携帯電話などの高周波信号の無線中継装置に好適に実施され、単一の伝送路の一端と分岐伝送路の一端とを接続し、各分岐伝送路に高周波信号を開閉するための高周波スイッチを設けるようにしたパワースイッチャブル・コンバイナ・デバイダと称される高周波電力合成または分配器において、前記高周波スイッチを、接点部分と、スイッチ本体とに分離し、その接点部分を金属ベースに形成した導波空間内に配置することで、同軸線路を構成するとともに、各分岐伝送路側に設けられる高周波スイッチの可動接点を、単一の伝送路側の固定接点と、一点で接触するようにする。
【００２３】
それゆえ、高周波信号の合成または分配点とスイッチとの間に物理的な距離が存在しなくなり、高周波特性を改善することができる。また、同軸線路が金属ベース内に構成されているので、高周波信号が外部に漏洩せず、前記スイッチ本体のソレノイドを駆動する駆動信号線に前記高周波信号が重畳することによって生じる機械スイッチの誤動作を防ぐことができる。さらにまた、４個以上の高周波スイッチを前記結節点の周囲に配置することができる。
【００２４】
また、本発明の高周波電力合成または分配器は、以上のように、前記単一の伝送路に１または複数のスタブとなる分岐伝送路を接続するにあたって、前記単一の伝送路の導波空間に連通する導波空間内に、そのスタブとなる分岐伝送路に、高周波スイッチの接点部分を配置する。
【００２５】
それゆえ、高周波電力合成または分配器にスタブの機能を持たせることができる。
【００２６】
さらにまた、本発明の高周波電力合成または分配器は、以上のように、前記金属ベースを、前記導波空間に対応する溝が少なくとも一方に刻設された２枚の金属板を組合わせて構成し、複数の前記スイッチ本体を、その金属板の表裏両面に分散配置する。
【００２７】
それゆえ、スイッチ本体の物理的な干渉が小さくなり、該スイッチ本体を前記結節点により近付け、可動接点を短くして、より高周波特性を改善することができるとともに、小型化することもできる。
【００２８】
また、本発明の高周波電力合成または分配器は、以上のように、前記スイッチ本体の隅角部を面取りする。
【００２９】
それゆえ、前記スイッチ本体を前記結節点により近付け、一層可動接点を短くして、より一層高周波特性を改善することができるとともに、小型化することもできる。
【００３０】
さらにまた、本発明の無線中継装置は、以上のように、前記の高周波電力合成または分配器に、前記各分岐伝送路に個別に対応するアンプを含んで構成する。
【００３１】
それゆえ、高周波特性を改善することができる無線中継装置を実現することができる。
【発明を実施するための最良の形態】
【００３２】
図１は、本発明の実施の一形態に係る高周波電力合成または分配器であるパワースイッチャブル・コンバイナ１の上蓋を外して示す平面図であり、図２はその縦断面図であり、図３は電気的構成を示すブロック図である。以下、コンバイナについて説明するが、本発明がデバイダについても適用可能なことは、言うまでもない。このパワースイッチャブル・コンバイナ１は、携帯電話の基地局において、送信信号を複数（図３では４つ）のアンプＡ１〜Ａ４で電力増幅した信号を合成してアンテナへ出力する大パワーに対応することができる高周波信号の合成器であり、前記アンプＡ１〜Ａ４と合わせて、すなわち図３の構成で、無線中継装置を構成する。このパワースイッチャブル・コンバイナ１は、導電性および放熱性の良好な筐体２内に収納されて成り、複数の各放射方向に対応したアンテナ数だけ、ラック内に積層して収納される。
【００３３】
そして、筐体２の側面には、奥行き方向（図１および図２の左右方向）に図示しない案内溝または案内凸条の一方が形成されており、ラック側の案内溝または案内凸条の他方と嵌合し、摺動させてゆくことで装着可能となっている。このため、筐体２の背面側には、前記各アンプＡ１〜Ａ４からの信号が与えられるＳＭＢコネクタＣ１〜Ｃ４や該パワースイッチャブル・コンバイナ１への制御信号のコネクタＣ１０および前記各コネクタＣ１〜Ｃ４，Ｃ１０の位置合せのためのガイドピン６などが立設されている。筐体２の前面側には、前記アンテナからの同軸ケーブルが接続されるＮ型コネクタＣ０が立設されている。
【００３４】
パワースイッチャブル・コンバイナ１内は、前記複数のアンプＡ１〜Ａ４にそれぞれ対応して設けられ、該アンプＡ１〜Ａ４からの信号を方向性を持って通過させるアイソレータモジュールＭ１〜Ｍ４と、アイソレータモジュールＭ１〜Ｍ４からの信号を任意に組合わせて合成する合成ユニット３と、図示しない制御回路基板とを備えて構成される。前記アイソレータモジュールＭ１〜Ｍ４は、大略的に、アンプＡ１〜Ａ４からの信号を方向性を持って通過させるサーキュレータ４と、該サーキュレータ４によって分離された反射波を熱に変換して放散する終端抵抗５とを備えて構成される。
【００３５】
前記合成ユニット３は、前記各アイソレータモジュールＭ１〜Ｍ４からの信号が与えられる端子Ｊ１〜Ｊ４と、前記端子Ｊ１〜Ｊ４に他端がそれぞれ接続される分岐伝送路Ｋ１〜Ｋ４と、前記分岐伝送路Ｋ１〜Ｋ４の一端に一端が接続される単一の伝送路Ｋ０と、前記単一の伝送路Ｋ０の他端に設けられ、前記コネクタＣ０に接続される端子Ｊ０と、前記各分岐伝送路Ｋ１〜Ｋ４に介在される高周波スイッチＳＷ１〜ＳＷ４と、前記単一の伝送路Ｋ０に接続される１または複数（図３に示す例では３つ）のスタブＳＴ１〜ＳＴ３と、前記スタブＳＴ１〜ＳＴ３にそれぞれ介在される高周波スイッチＳＷ１１〜ＳＷ１３と、それらを搭載する一対のベースブロック１１，１２とを備えて構成され、高周波スイッチＳＷ１〜ＳＷ４を切換えることで前記各アイソレータモジュールＭ１〜Ｍ４からの信号を任意に合成することができ、前記高周波スイッチＳＷ１〜ＳＷ４のスイッチング状態に対応して高周波スイッチＳＷ１１〜ＳＷ１３が切換えられることで、前記高周波スイッチＳＷ１〜ＳＷ４の選択に対してインピーダンスマッチングを行うように構成されている。
【００３６】
図４は前記合成ユニット３を出力のコネクタＣ０側（端子Ｊ０側）から見た正面図であり、図５は入力のコネクタＣ１〜Ｃ４側（端子Ｊ１〜Ｊ４側）から見た背面図であり、図６は底面図であり、図７は側面図であり、図８はベースブロック１１，１２を分解した状態でのベースブロック１２側の正面図である。注目すべきは、本実施の形態の合成ユニット３では、高周波スイッチＳＷ１〜ＳＷ４；ＳＷ１１〜ＳＷ１３を、接点ＳＷ１ａ〜ＳＷ４ａ；ＳＷ１１ａ〜ＳＷ１３ａ部分と、スイッチ本体ＳＷ１ｂ〜ＳＷ４ｂ；ＳＷ１１ｂ〜ＳＷ１３ｂとに分離し、その接点ＳＷ１ａ〜ＳＷ４ａ；ＳＷ１１ａ〜ＳＷ１３ａ部分を前記ベースブロック１１，１２に形成した導波空間Ｈ内に配置することで、同軸線路を構成するとともに、各分岐伝送路Ｋ１〜Ｋ４側に設けられる高周波スイッチＳＷ１〜ＳＷ４の可動接点ＳＷ１ａ〜ＳＷ４ａを、単一の伝送路Ｋ０側の固定接点と、一点で接触するようにすることである。
【００３７】
具体的には、前記単一の伝送路Ｋ０に対応した導波空間Ｈ０内に前記単一の伝送路Ｋ０となる第１の導電体Ｋ０ａを設け、前記各分岐伝送路Ｋ１〜Ｋ４に対応した導波空間Ｈ１〜Ｈ４には第１の可動接点ＳＷ１ａ〜ＳＷ４ａおよび各分岐伝送路Ｋ１〜Ｋ４となる第２の導電体Ｋ１ａ〜Ｋ４ａを設け、各伝送路Ｋ０〜Ｋ４に対応した導波空間Ｈ０〜Ｈ４の結節点Ｈ１０に前記第１の導電体Ｋ０ａの一端が固定接点として臨むように該第１の導電体Ｋ０ａを複数の支持部材１３によって架設し、各分岐伝送路Ｋ１〜Ｋ４では、前記結節点Ｈ１０側に第１の可動接点ＳＷ１ａ〜ＳＷ４ａを配置するとともに、前記結節点Ｈ１０とは反対側に、前記第１の可動接点ＳＷ１ａ〜ＳＷ４ａ側の端部が固定接点となる第２の導電体Ｋ１ａ〜Ｋ４ａを前記支持部材１３によって架設する。
【００３８】
同様に、前記単一の伝送路Ｋ０に対応した導波空間Ｈ０からは、前記スタブＳＴ１〜ＳＴ３にそれぞれ対応した導波空間Ｈ１１〜Ｈ１３が連通して形成されており、前記導波空間Ｈ１１〜Ｈ１３内では、前記単一の伝送路Ｋ０となる第１の導電体Ｋ０ａに一端が臨むように第２の可動接点ＳＷ１１ａ〜ＳＷ１３ａを配置し、その他端側に、前記支持部材１３によって、該第２の可動接点ＳＷ１１ａ〜ＳＷ１３ａ側の端部が固定接点となり、前記スタブＳＴ１〜ＳＴ３となる第３の導電体ＳＴ１ａ〜ＳＴ３ａが設けられる。
【００３９】
前記各可動接点ＳＷ１ａ〜ＳＷ４ａ；ＳＷ１１ａ〜ＳＷ１３ａは、ベースブロック１１，１２に形成された孔内を遊挿するカードＳＷ１ｃ〜ＳＷ４ｃ；ＳＷ１１ｃ〜ＳＷ１３ｃによって、前記ベースブロック１１，１２の外表面に搭載されたスイッチ本体ＳＷ１ｂ〜ＳＷ４ｂ；ＳＷ１１ｂ〜ＳＷ１３ｂによって、図８の紙面に垂直方向に変位駆動されるとともに、固定接点との接触状態で、前記ベースブロック１１，１２と非接触に支持される。前記支持部材１３は、良好な絶縁性および耐熱性を有するテフロン（登録商標）などから成り、前記ベースブロック１２に形成された取付け凹所１４に嵌り込み、前記の各導電体Ｋ０ａ〜Ｋ４ａ；ＳＴ１ａ〜ＳＴ３ａをベースブロック１１，１２と非接触に架設する。前記各導電体Ｋ０ａ〜Ｋ４ａの他端側には、前記各コネクタＣ１〜Ｃ４の中心導体が接続され、その外導体はＧＮＤとなるベースブロック１１，１２と接続される。
【００４０】
このように高周波信号の切換えを行う高周波スイッチＳＷ１〜ＳＷ４を、接点ＳＷ１ａ〜ＳＷ４ａ部分と、スイッチ本体ＳＷ１ｂ〜ＳＷ４ｂとに分離し、その接点ＳＷ１ａ〜ＳＷ４ａ部分を前記ベースブロック１１，１２に形成した導波空間Ｈ１〜Ｈ４内に配置して同軸線路を構成するとともに、各分岐伝送路Ｋ１〜Ｋ４側に設けられる高周波スイッチＳＷ１〜ＳＷ４の可動接点ＳＷ１ａ〜ＳＷ４ａを単一の伝送路Ｋ０側の固定接点Ｋ０ａと一点で接触するようにすることで、高周波信号の合成点（前記結節点Ｈ１０）と高周波スイッチＳＷ１〜ＳＷ４との間に物理的な距離が存在しなくなり、高周波特性を改善することができる。具体的には、通過挿入損失および出力端ＶＳＷＲを、以下のように、合成数に拘わらず、全般的に改善することができる。
【００４１】
先ず、通過挿入損失は、目標＜０．９８ｄＢであるところ、従来の１合成では２．８９ｄＢ、２合成では１．５８ｄＢ、３合成では１．６４ｄＢ、４合成では３．０８ｄＢであったのに対して、本実施の形態では、１合成で０．７４ｄＢ、２合成で０．７９ｄＢ、３合成で０．８１ｄＢ、４合成で０．８８ｄＢに、それぞれ改善できた。また、出力端ＶＳＷＲは、目標＜１．３であるところ、従来の１合成では１．５０、２合成では１．２９、３合成では１．９１、４合成では２．０３であったのに対して、本実施の形態では、１合成で１．１４、２合成で１．１２、３合成で１．１２、４合成で１．０８に、それぞれ改善できた。
【００４２】
また、同軸線路が金属製のベースブロック１１，１２内に構成されているので、高周波信号が外部に漏洩せず、前記スイッチ本体ＳＷ１ｂ〜ＳＷ４ｂ；ＳＷ１１ｂ〜ＳＷ１３ｂのソレノイドを駆動する駆動信号線に前記高周波信号が重畳することによって生じる機械スイッチの誤動作を防ぐことができる。さらにまた、４個以上の高周波スイッチＳＷ１〜ＳＷ４；ＳＷ１１〜ＳＷ１３を、前記結節点Ｈ１０の周囲に配置することができる。
【００４３】
また、スタブＳＴ１〜ＳＴ３の構成も、前記の分岐伝送路Ｋ１〜Ｋ４と同様に、高周波スイッチＳＷ１１〜ＳＷ１３を、接点ＳＷ１１ａ〜ＳＷ１３ａ部分と、スイッチ本体ＳＷ１１ｂ〜ＳＷ１３ｂとに分離し、その接点ＳＷ１１ａ〜ＳＷ１３ａ部分およびスタブとなる導電体ＳＴ１ａ〜ＳＴ３ａを前記ベースブロック１１，１２に形成した導波空間Ｈ１１〜Ｈ１３内に配置して同軸線路を構成することで、第１の可動接点ＳＷ１ａ〜ＳＷ４ａの開閉による分岐数、すなわち合成または分配チャネル数の変更に伴ってインピーダンスが変化しても、第２の可動接点ＳＷ１１ａ〜ＳＷ１３ａを動作させて、任意のスタブＳＴ１〜ＳＴ３の使用／不使用を切換え、インピーダンスをマッチングさせることができる。これによって、合成ユニット３にスタブの機能を持たせることもできる。
【００４４】
さらにまた、前記各高周波スイッチＳＷ１〜ＳＷ４；ＳＷ１１〜ＳＷ１３のスイッチ本体ＳＷ１ｂ〜ＳＷ４ｂ；ＳＷ１１ｂ〜ＳＷ１３ｂを、前記ベースブロック１１，１２の表裏両面に分散配置（図４〜図７の例では、スイッチ本体ＳＷ１ｂ，ＳＷ４ｂ；ＳＷ１１ｂ，ＳＷ１２ｂを表側に配置し、スイッチ本体ＳＷ２ｂ，ＳＷ３ｂ；ＳＷ１３ｂを裏側に配置し、固定接点となる導電体Ｋ０ａ〜Ｋ４ａ；ＳＴ１ａ〜ＳＴ３ａに対して、斜線を施して示す可動接点ＳＷ１ａ，ＳＷ４ａ；ＳＷ１１ａ，ＳＷ１２ａが表側から接触し、残余の可動接点ＳＷ２ａ，ＳＷ３ａ；ＳＷ１３ａが裏側から接触）することで、スイッチ本体ＳＷ１ｂ〜ＳＷ４ｂ；ＳＷ１１ｂ〜ＳＷ１３ｂの物理的な干渉が小さくなり、該スイッチ本体を前記結節点Ｈ１０により近付け、可動接点を短くして、より高周波特性を改善することができるとともに、小型化することもできる。
【００４５】
また、前記スイッチ本体ＳＷ１ｂ〜ＳＷ４ｂ；ＳＷ１１ｂ〜ＳＷ１３ｂの隅角部を面取りしておくことで、前記スイッチ本体ＳＷ１ｂ〜ＳＷ４ｂ；ＳＷ１１ｂ〜ＳＷ１３ｂを前記結節点Ｈ１０により近付け、一層可動接点を短くして、より一層高周波特性を改善することができるとともに、小型化することもできる。
【図面の簡単な説明】
【００４６】
【図１】本発明の実施の一形態に係る高周波電力合成または分配器であるパワースイッチャブル・コンバイナの上蓋を外して示す平面図である。
【図２】図１の縦断面図である。
【図３】前記パワースイッチャブル・コンバイナを備える無線中継装置の電気的構成を示すブロック図である。
【図４】前記パワースイッチャブル・コンバイナにおける合成ユニットを出力のコネクタ側から見た正面図である。
【図５】図４の背面図である。
【図６】図４の底面図である。
【図７】図４の側面図である。
【図８】前記合成ユニットのベースブロックを分解した状態での正面図である。
【図９】従来技術のパワースイッチャブル・コンバイナ・デバイダの上蓋を外して示す平面図である。
【符号の説明】
【００４７】
１    パワースイッチャブル・コンバイナ
２    筐体
３    合成ユニット
１１，１２    ベースブロック
１３    支持部材
Ａ１〜Ａ４    アンプ
Ｃ０    Ｎ型コネクタ
Ｃ１〜Ｃ４    ＳＭＢコネクタ
Ｃ１０  制御信号のコネクタ
Ｊ０〜Ｊ４    端子
Ｈ；Ｈ０〜Ｈ４；Ｈ１１〜Ｈ１３    導波空間
Ｈ１０  結節点
Ｋ０    単一の伝送路
Ｋ０ａ    第１の導電体
Ｋ１〜Ｋ４    分岐伝送路
Ｋ１ａ〜Ｋ４ａ    第２の導電体
Ｍ１〜Ｍ４    アイソレータモジュール
ＳＴ１〜ＳＴ３    スタブ
ＳＴ１ａ〜ＳＴ３ａ    第３の導電体
ＳＷ１〜ＳＷ４；ＳＷ１１〜ＳＷ１３    高周波スイッチ
ＳＷ１ａ〜ＳＷ４ａ；ＳＷ１１ａ〜ＳＷ１３ａ    可動接点
ＳＷ１ｂ〜ＳＷ４ｂ；ＳＷ１１ｂ〜ＳＷ１３ｂ    スイッチ本体
ＳＷ１ｃ〜ＳＷ４ｃ；ＳＷ１１ｃ〜ＳＷ１３ｃ    カード
【図１】
2008118324.tif 000003
【図２】
2008118324.tif 000004
【図３】
2008118324.tif 000005
【図４】
2008118324.tif 000006
【図５】
2008118324.tif 000007
【図６】
2008118324.tif 000008
【図７】
2008118324.tif 000009
【図８】
2008118324.tif 000010
【図９】
2008118324.tif 000011